(57)【要約】    【課題】防護柵や防音壁を構築する際の支柱の立設固定作業に必要とされる手間と時間と費用とを大幅に削減することができる雪崩・落石の防護柵または防音壁の構築方法、擁壁上部または基礎ブロックを構成するプレキャストコンクリートブロック、並びに雪崩・落石の防護柵または防音壁の構築方法に使用する支柱の仮止め部材を提供すること。    【解決手段】支柱１４を両側面から挟圧して仮止めする挟圧部２１と、前記挟圧部２１を支持すると共に擁壁１３上部の上面及び両側面に当接し、前記擁壁１３上部に跨って該擁壁１３の長さ方向にスライドする支持部２２とからなる仮止め部材２０を用い、この仮止め部材２０によって、前記支柱１４を立設固定するのに先立って前記擁壁１３上部に仮止めすることを特徴とする。  【選択図】図３
2008255632.tif 000002
【特許請求の範囲】
【請求項１】
擁壁上部または基礎ブロック上面に支柱を立設固定して雪崩・落石の防護柵または防音壁を構築する方法において、
前記支柱を立設固定するのに先立って、前記擁壁上部または基礎ブロック上面に跨る仮止め部材を用いて前記支柱を両側面から挟圧して仮止めすることを特徴とする雪崩・落石の防護柵または防音壁の構築方法。
【請求項２】
仮止め部材を擁壁上部または基礎ブロックの長さ方向にスライドさせることで、前記仮止め部材によって仮止めされた支柱を所定位置に移動させることを特徴とする請求項１記載の雪崩・落石の防護柵または防音壁の構築方法。
【請求項３】
支柱を仮止めする仮止め部材を擁壁上部または基礎ブロックの側面に設けたガイド溝にリードさせながらスライドさせることを特徴とする請求項１または２のいずれかに記載の雪崩・落石の防護柵または防音壁の構築方法。
【請求項４】
仮止め部材が、支柱を両側面から挟圧して仮止めする挟圧部と、挟圧部を支持すると共に前記擁壁上部または基礎ブロックの少なくとも上面に当接する支持部とからなることを特徴とする請求項１〜３のいずれかに記載の雪崩・落石の防護柵または防音壁の構築方法。
【請求項５】
仮止め部材の挟圧部にピンを設け、このピンを支柱の所定高さ位置に設けた穴に挿入することで、前記挟圧部で支柱を両側面から挟圧して仮止めするのに先立って、支柱の建て込み位置を決定すると共に支柱をピン周りに回転可能とすることで、支柱の立設角度を調整することを特徴とする請求項１〜４のいずれかに記載の雪崩・落石の防護柵または防音壁の構築方法。
【請求項６】
擁壁または基礎ブロックがプレキャストコンクリートブロックによって構成されていることを特徴とする請求項１〜５のいずれかに記載の雪崩・落石の防護柵または防音壁の構築方法。
【請求項７】
擁壁上部または基礎ブロック上面が、支柱取付孔を有するプレキャストコンクリートブロックによって構成されていることを特徴とする請求項１〜６のいずれかに記載の雪崩・落石の防護柵または防音壁の構築方法。
【請求項８】
支柱がＨ鋼、角パイプ鋼、或いは丸管からなることを特徴とする請求項１〜７のいずれかに記載の雪崩・落石の防護柵または防音壁の構築方法。
【請求項９】
擁壁上部または基礎ブロック上面に支柱を立設固定して雪崩・落石の防護柵または防音壁を構築するに際し、前記擁壁上部または基礎ブロック上面に跨って前記支柱を両側面から挟圧して仮止めする仮止め部材を前記擁壁上部または基礎ブロックの長さ方向にスライドさせるときに、前記仮止め部材のスライドをリードするガイド溝を擁壁上部または基礎ブロックの側面に設けたことを特徴とする擁壁上部または基礎ブロックを構成するプレキャストコンクリートブロック。
【請求項１０】
ブロック上面に設けた支柱取付孔の周縁に支柱埋設部の補強鉄筋上部を係止する係止溝を設けたことを特徴とする請求項９記載の擁壁上部または基礎ブロックを構成するプレキャストコンクリートブロック。
【請求項１１】
擁壁上部または基礎ブロック上面に支柱を立設固定して雪崩・落石の防護柵または防音壁を構築する際に前記支柱を前記擁壁上部または基礎ブロック上面に仮止めする仮止め部材であって、
前記擁壁上部または基礎ブロック上面に跨って前記支柱を両側面から挟圧して仮止めすることを特徴とする支柱の仮止め部材。
【請求項１２】
擁壁上部または基礎ブロック上面に跨って前記擁壁または基礎ブロックの長さ方向にスライド可能に設けたことを特徴とする請求項１１記載の支柱の仮止め部材。
【請求項１３】
支柱を両側面から挟圧して仮止めする挟圧部と、前記挟圧部を支持すると共に前記擁壁上部または基礎ブロックの少なくとも上面に当接する支持部とからなることを特徴とする請求項１１または１２のいずれかに支柱の仮止め部材。
【請求項１４】
挟圧部が、支柱側面に当接する一対の圧接板と、前記各圧接板に設けた貫通孔に挿通されるネジ棒と、前記ネジ棒に螺合するボルトとからなり、前記一対の圧接板によって支柱を挟んだ状態で、前記各圧接板の貫通孔に挿通されたネジ棒にボルトを螺合させてボルト締めすることで、前記支柱を両側面から挟圧して仮止めするようにしたことを特徴とする請求項１１〜１３のいずかに記載の支柱の仮止め部材。
【請求項１５】
支柱側面に当接する各圧接板に支柱の所定高さ位置に設けた穴に挿入するピンを設けたことを特徴とする請求項１４記載の支柱の仮止め部材。
【請求項１６】
支持部が、挟圧部の両側方に設けられた脚部と、前記脚部下端に設置されて、擁壁上部または基礎ブロックの上面及び両側面に当接する当接片とからなり、前記脚部と当接片とによって前記挟圧部を支持しながら前記擁壁上部または基礎ブロック上面に跨ってスライドするようにしたことを特徴とする請求項１１〜１５のいずれかに記載の支柱の仮止め部材。
【請求項１７】
擁壁上部または基礎ブロックの側面に設けた仮止め部材のスライドをリードするガイド溝を係止するピンを当接片に固定したことを特徴とする請求項１１〜１６のいずれかに記載の支柱の仮止め部材。
【請求項１８】
挟圧部の両側方に設けられた脚部が、前記脚部下端に設置されて、擁壁上部または基礎ブロックの上面及び両側面に当接する当接片上をスライドするようにしたことを特徴とする請求項１６または１７のいずれかに記載の支柱の仮止め部材。
【発明の詳細な説明】
【技術分野】
【０００１】
本発明は、防護柵や防音壁を構築する際の支柱の立設固定作業に必要とされる手間と時間と費用とを大幅に削減することができる雪崩・落石の防護柵または防音壁の構築方法、擁壁上部または基礎ブロックを構成するプレキャストコンクリートブロック、並びに雪崩・落石の防護柵または防音壁の構築方法に使用する支柱の仮止め部材に関する。
【背景技術】
【０００２】
高所からの落石や雪崩は大きな人身事故や施設の破壊を引き起こす危険性がある。このため、その対策として、斜面下の道路や建物の山側に防護柵を設けることで、落石や雪崩による被害を最小限に抑える努力がなされていた。
【０００３】
防護柵１は、図７〜図１０に示すように、基礎地盤２上に構築される支柱取付孔３ａを有する擁壁３と、当該擁壁３に所定間隔で立設固定される支柱４と、各支柱５間に掛け渡されるケーブルや網体、或いは板材などの防護部材５とから構成されており、前記基礎地盤２上に擁壁３を構築し、この擁壁３に所定間隔で支柱４を立設固定し、各支柱４間に防護部材５を取付けることで該防護柵１が構築されていた。
【０００４】
特に防護柵の構築工事における支柱４の立設固定作業は、例えば図８〜図１０に示すように、擁壁３内に支柱４を立設固定する場所毎に支柱４を仮止めするための鉄筋からなる仮止め枠６を組み付け、その上で支柱４を支柱取付孔３ａから擁壁３内に挿入し、支柱４の挿入部分に仮止め枠６とともに組み付けたアンカー部材７を取り付けて仮止めし、その後擁壁３内に支柱取付孔３ａを通してコンクリートや現場で発生した土砂などの中詰材を詰め込んで前記支柱４を固定するといった手順で行われており、非常に多くの手間と時間と費用とを必要としていた。
【０００５】
従来、防護柵の構築工事における支柱の立設固定作業に必要とされる手間と時間と費用とを削減するため、例えば図１１に示す工法が提案されている（特許文献１参照）。この工法は、支柱４を地面側に固定した複数のアンカーボルト８を介して立設固定するものであり、支柱４下端に前記アンカーボルト８に対応するボルト孔９ａを有する取付プレート９を取り付けておき、地面（擁壁）側にアンカーボルト８の下端を固定した後、このアンカーボルト８の上端を支柱４下端の取付プレート９のボルト孔９ａに通し、ボルト締めして固定するというものである。
【０００６】
しかし上記工法の場合、支柱４は、該支柱４下端に設けた取付プレート９が地面（擁壁）側から突出する複数のアンカーボルト８のみで固定されているため、落石や雪崩の大きな衝撃が加わったとき、その衝撃に十分に対抗できない恐れがあった。
【特許文献１】特開２０００−２３４３３９号公報
【発明の開示】
【発明が解決しようとする課題】
【０００７】
本発明は、このような事情に鑑みなされたものであり、防護柵や防音壁を構築する際の支柱の立設固定作業に必要とされる手間と時間と費用とを大幅に削減することができる雪崩・落石の防護柵または防音壁の構築方法、擁壁上部または基礎ブロックを構成するプレキャストコンクリートブロック、並びに雪崩・落石の防護柵または防音壁の構築方法に使用する支柱の仮止め部材を提供することを目的とするものである。
【課題を解決するための手段】
【０００８】
上記目的を達成するため、請求項１〜８記載の発明は、擁壁上部または基礎ブロック上面に支柱を立設固定して雪崩・落石の防護柵または防音壁を構築する方法において、
前記支柱を立設固定するのに先立って、前記擁壁上部または基礎ブロック上面に跨る仮止め部材を用いて前記支柱を両側面から挟圧して仮止めすることを特徴とする雪崩・落石の防護柵または防音壁の構築方法をその要旨とした。
【０００９】
請求項９及び１０に記載の発明は、擁壁上部または基礎ブロック上面に支柱を立設固定して雪崩・落石の防護柵または防護柵を構築するに際し、前記擁壁上部または基礎ブロック上面に跨って前記支柱を両側面から挟圧して仮止めする仮止め部材を前記擁壁上部または基礎ブロックの長さ方向にスライドさせるときに、前記仮止め部材のスライドをリードするガイド溝を擁壁上部または基礎ブロックの側面に設けたことを特徴とする擁壁上部または基礎ブロックを構成するプレキャストコンクリートブロックをその要旨とした。
【００１０】
請求項１１〜１８に記載の発明は、擁壁上部または基礎ブロック上面に支柱を立設固定して雪崩・落石の防護柵または防音壁を構築する際に前記支柱を前記擁壁上部または基礎ブロック上面に仮止めする仮止め部材であって、
前記擁壁上部または基礎ブロック上面に跨って前記支柱を両側面から挟圧して仮止めすることを特徴とする支柱の仮止め部材をその要旨とした。
【発明の効果】
【００１１】
本発明は、防護柵または防音壁の構築工事における支柱の立設固定作業において、前記支柱を立設固定するのに先立って、擁壁上部または基礎ブロック上面に跨る仮止め部材を用いて前記支柱を両側面から挟圧して仮止めするようにしたので、支柱を立設固定する場所毎に、擁壁上部または基礎ブロック内に支柱を仮止めするための鉄筋からなる仮止め枠を組み付ける必要がなく、支柱の立設固定作業における手間と時間と費用とを大幅に削減することができる。
【００１２】
またこの本発明によれば、支柱の立設固定作業において、仮止め部材を擁壁上部または基礎ブロックの長さ方向にスライドさせることで、前記仮止め部材によって仮止めされた支柱を所定位置に移動させることができるため、施工現場によって支柱の立設固定する位置の変更または微調整の必要が生じた場合でも、何らの準備をすることなくこれに即応することができる。
【発明を実施するための最良の形態】
【００１３】
以下、本発明の雪崩・落石の防護柵または防音壁の構築方法、擁壁上部または基礎ブロックを構成するプレキャストコンクリートブロック、並びに雪崩・落石の防護柵または防音壁の構築方法に使用する支柱の仮止め部材を図面に示した一実施の形態に従って詳しく説明する。まず、本発明の雪崩・落石の防護柵（以下、単に防護柵という）の構築方法について説明する。尚、本発明の擁壁上部または基礎ブロックを構成するプレキャストコンクリートブロック、並びに雪崩・落石の防護柵または防音壁の構築方法に使用する支柱の仮止め部材については、本発明の防護柵の構築方法並びに防音壁の構築方法の説明の中で説明する。
【００１４】
図１に示す防護柵１１は、基礎地盤１２を施工し、この基礎地盤１２上に擁壁１３を構築し、次いで、擁壁１３上面に所定間隔に支柱１４を立設固定し、その後、各支柱１４間に防護部材１５を取付るという工程を経て構築される。尚、本発明の防護柵の構築方法に用いる支柱としては、従来より知られたＨ鋼、角パイプ鋼、或いは丸管など、特に限定されないが、図示の例ではＨ鋼を支柱として用いた。
【００１５】
図１〜図４に示す擁壁１３は、山側と道側の境界部分に打設した底版コンクリートを基礎地盤１２とし、この基礎地盤１２上に断面台形状の多数のプレキャストコンクリートブロック１０１を擁壁１３の長さ方向に配置すると共に、擁壁１３の高さ方向に同じく断面台形状であって大きさの異なる多数のプレキャストコンクリートブロック１０２〜１０６を積み上げて構築される。構築された擁壁１３は、山側が垂直面、道路側が斜面をなす略台形状に造られ、該擁壁１３内部には前記多数のプレキャストコンクリートブロックによって空洞１３ｂが形成されている。
【００１６】
また図２及び図３に示すように、擁壁１３上部を構成するプレキャストコンクリートブロック１０６は、同じく略Ｈ状であって断面台形状をなし、このブロック１０６が擁壁１３の長さ方向に多数配置されて、擁壁１３上面に所定間隔に支柱取付孔１３ａが設けられている。そして、図１及び図４に示すように、この擁壁１３上面に設けた支柱取付孔１３ａから支柱１４を擁壁１３内に挿入して立設させ、仮止めした後に、擁壁１３内に形成された空洞１３ｂ内に支柱取付孔１４を通してコンクリートや現場で発生した土砂などの中詰材１８を詰め込むことで支柱１４が立設固定される。
【００１７】
尚、図１〜図４に示す擁壁１３は、多数のプレキャストコンクリートブロック１０１〜１０６を擁壁１３の長さ方向及び高さ方向に積み上げて構築したものであるが、これに限らず現場で型枠を組立てて、型枠内にコンクリートを打設することで造成したものであってもよい。
【００１８】
次に、本発明の防護柵の構築方法における支柱の立設固定過程についてさらに詳しく説明する。本発明の防護柵の構築方法では、支柱を立設固定するのに先立って仮止め部材を用いて支柱を擁壁上部に仮止めしている。
【００１９】
ここで支柱の仮止めに用いる仮止め部材について説明する。図１及び図３〜図５に示すように、仮止め部材２０は、擁壁１３上部に跨って支柱１４を両側面から挟圧して仮止めするものであり、図示の例では挟圧部２１と支持部２２とからなる。挟圧部２１は、支柱１４を両側面から挟圧して仮止めするものであり、その好ましい実施形態としては、支柱１４側面に当接する一対の圧接板２３と、前記各圧接板２３に設けた貫通孔２４に挿通されるネジ棒２５と、前記ネジ棒に螺合するボルトとからなるものを挙げることができる。図示の挟圧部２１の場合、一対の圧接板２３によって支柱１４を挟み込み、この状態で各圧接板２３の貫通孔２４に挿通されたネジ棒２５にボルト２６を螺合させてボルト締めすることで、支柱１４を両側面から挟圧して仮止めすることができるようになっている。
【００２０】
また図示の例では、支柱１４側面に当接する各圧接板２３には支柱１４の所定高さ位置に設けた穴（図示しない）に挿入するピン２７を設けている。このピン２７を支柱１４の所定高さ位置に設けた穴（図示しない）に挿入することで、挟圧部２１を構成する一対の圧接板２３間で支柱１４を両側面から挟圧して仮止めするのに先立って、支柱１４の埋設位置が決まり、支柱１４の正確な建て込み位置を決定することができる。また、ピン２７を支柱１４の所定高さ位置に設けた穴（図示しない）に挿入することで、支柱１４をピン２７周りに回転可能とすることができるので、擁壁１３上部が傾斜していても、これに拘わらず、支柱１４が鉛直方向に立設するように角度調整をすることができる。
【００２１】
支持部２２は、上記挟圧部２１を支持するものであり、その好ましい形態としては、挟圧部２１の両側方に設けられた脚部２８と、前記脚部２８下端に設置されて、擁壁１３上部を構成するプレキャストコンクリートブロック１０６の上面及び両側面に当接する当接片２９とからなる。
【００２２】
脚部２８は、略くの字状をなす板からなり、前記挟圧部２１を構成する各圧接板２３の側方に溶接またはボルト締め等によって取り付けられている。尚、図示の例では、各圧接板２３の側方に板状をなす２枚の脚部２８を取り付けているが、その形状や数は任意であり、例えば鉄棒や鉄パイプを略くの字状に折り曲げて、これを各圧接板２３の側方に取り付けて脚部２８としても良い。
【００２３】
当接片２９は、上面及び両側面の形状に沿って折り曲げ加工された板からなり、図示の例では、前記脚部２８の内側面に当たる上端部２９ａとブロック１０６の上面に当接する部分２９ｂとブロック１０６の側面に当接する下端部２９ｃとからなる。そして、前記脚部２８と当接片２９とによって前記挟圧部２１を支持しながら擁壁１３上部に跨ってスライドするようになっている。
【００２４】
尚、挟圧部２１の両側方に設けられた脚部２８と当接片２９とは、一体に設けるほかに、別体に設けて、脚部２８が当接片２９上をスライドできるようにすることもできる。この場合、仮止め部材２０のスライド（図５中太矢印方向）と合わせて、脚部２８が当接片２９上をスライド（図５中細矢印方向）するため、支柱１４の位置合わせがより一層正確かつ容易になる。
【００２５】
尚、図示の例では、当接片２９の下端部２９ｃにピン３０が取り付けられており、このピン３０が、擁壁上部を構成するプレキャストコンクリートブロック１０６の両側面に設けたガイド溝３１に嵌り込んで係止し、仮止め部材２０がスライドするときにこれをリードするように働くようになっている。また、当接片２９の下端部２９ｃのピン３０が、擁壁上部を構成するプレキャストコンクリートブロック１０６の両側面に設けたガイド溝３１に嵌り込んでこれを係止するので、支柱１４を仮止めし、擁壁１３内にコンクリートや現場で発生した土砂などの中詰材１８を詰め込んで支柱１４を立設固定するときに生じる振動や衝撃などによって支柱１４が浮き上がるのを防止できるようになっている。
【００２６】
次に、このような仮止め部材を用いた支柱の仮止め作業、立設固定作業について説明する。まず、図１並びに図３〜図５に示すように、擁壁１３上部の支柱１４を立設固定する予定位置にクレーンなどで支柱１４を吊り上げて、擁壁１３上面に設けた支柱取付孔１３ａから擁壁１３内に挿入する。次いで、仮止め部材２０の挟圧部２１を構成する一対の圧接板２３によって支柱１４を挟み込む。次いで、各圧接板２３の貫通孔２４に挿通されたネジ棒２５にボルト２６を螺合させ、軽くボルト締めする。
【００２７】
次いで、各圧接板２３に設けたピン２７を支柱１４の所定高さ位置に設けた穴（図示しない）に挿入し、支柱１４の建て込み位置を決定すると共に、支柱１４をピン２７周りに回転させて、支柱１４を鉛直方向に立設するように角度調整をする。次いで、各圧接板２３の貫通孔２４に挿通されたネジ棒２５にボルト２６を強く締め直して、支柱１４を両側面から挟圧して仮止めする。
【００２８】
次いで、支柱１４を吊り上げながら、図５中太矢印に示すように、擁壁１３上部に跨る仮止め部材２０をスライドさせる。このとき、支柱１４を挟圧して仮止めする挟圧部２１を支持する支持部２２は、擁壁１３上部の上面及び両側面に当接しながらスライドし、支柱１４は、擁壁１３上部の支柱取付孔１３ａ内を予定位置へと移動される。
【００２９】
次いで、擁壁１３内に形成された空洞１３ｂ内に支柱取付孔１３ａを通してコンクリートや現場で発生した土砂などの中詰材１８を詰め込むことで支柱１４の立設固定がなされる。
【００３０】
この後、仮止め部材２０を支柱１４から取り外し、擁壁１３上部に立設固定された支柱１４に防護部材１５を取り付けることで防護柵１１の構築が完了する。尚、防護部材１５は、支柱１４間に掛け渡されるケーブルや網体、或いは板材などであり、図１に示す防護柵１１では、支柱１４間にケーブル１９を掛け渡し、さらにケーブル１９に網体２０を取り付けたものを防護部材１５として用いた。
【００３１】
次に、仮止め部材を用いた支柱の仮止め作業の別例を説明する。まず、予め仮止め部材２０の挟圧部２１を構成する各圧接板２３に設けたピン２７を支柱１４の所定高さ位置に設けた穴（図示しない）に挿入すると共に、各圧接板２３の貫通孔２４にネジ棒２５を挿通し、ボルト２６を螺合させて、支柱１４を両側面から軽く挟み込んでおく。次いで、クレーンなどで支柱１４を吊り上げてこれを擁壁１３上部（ブロック１０６）の支柱取付孔１３ａから擁壁１３内に挿入する。
【００３２】
次いで、支柱１４をピン２７周りに回転させて、支柱１４を鉛直方向に立設するように角度調整した後、ボルト２６を締め付けて、一対の圧接板２３間に支柱１４を両側面から挟圧して仮止めする。
【００３３】
以下、前述の例と同じく、支柱１４を吊り上げながら、擁壁１３上部（ブロック１０６）に跨る仮止め部材２０をスライドさせ、擁壁１３上部の支柱取付孔１３ａ内を予定位置へと移動させ、次いで、擁壁１３内に形成された空洞１３ｂ内に支柱取付孔１３ａを通してコンクリートや現場で発生した土砂などの中詰材１８を詰め込むことで支柱１４の立設固定が完了する。
【００３４】
次に、図６は、本発明の防護柵を構築する方法において、支柱（の擁壁１３内に挿入した部分）周りに支柱埋設部の補強鉄筋を取り付ける作業をきわめて簡略化させるようにした形態を示すものである。すなわちこの形態は、擁壁１３上部を構成するブロック１０６として、支柱埋設部の補強鉄筋３２の上部３２ａを係止する係止溝３３を設けたものを使用するものである。図６に示すように、支柱埋設部の補強鉄筋３２は、複数の鉄筋を縦横方向に組み付けてなる籠状をなす。この補強鉄筋３２の上部を構成する鉄筋３２ａの端部は、両側方に長く飛び出て設けられており、その先端が擁壁１３上部を構成するブロック１０６の係止溝３３に係止されることで、支柱１４の擁壁１３内に挿入した部分周りに補強鉄筋３２が配置されるようになっている。
【００３５】
この形態の場合、擁壁１３上部に上述の仮止め部材２０を用いて支柱１４を仮止めするのに先だって、図６に示すように、ブロック１０６上面に設けた支柱取付孔１３ａの周縁に設けた係止溝３３に支柱埋設部の補強鉄筋３２の上部３２ａを係止させておくのである。ブロック１０６の係止溝３３に補強鉄筋３２の上部３２ａを前もって係止させておくことで、上述の仮止め部材２０を用いて擁壁１３上部に支柱１４を仮止めした後に、支柱１４（の擁壁１３内に挿入した部分）周りに補強鉄筋３２を取り付ける煩雑な取付作業を省略することができる。また、支柱の仮止め前の支柱埋設部の補強鉄筋の取付作業についても、補強鉄筋３２の上部３２ａをブロック１０６の係止溝３３に係止させるだけであるので、きわめて簡便であり、作業の手間を取らない。
【００３６】
次に、本発明の防音壁の構築方法について説明する。この防音壁は、基礎地盤上に基礎ブロックの長さ方向に支柱取付孔を所定間隔に設けた基礎ブロックを造成し、次いで、この基礎ブロック上面の各支柱取付孔内に支柱を立設固定し、この後、これら各支柱間に防音部材を取り付けるという工程を経て構築される。
【００３７】
本発明の防音壁の構築方法は、基礎ブロック上面の各支柱取付孔内に支柱を立設固定する工程において、基礎ブロック上面に跨る仮止め部材を用いて前記支柱を両側面から挟圧して仮止めすることを特徴とするものである。尚、本発明の防音壁の構築方法に用いる支柱の仮止め部材については、上述の防護柵と同じであるため、ここでの説明は割愛する。
【００３８】
本発明の方法により構築される防音壁は、騒音が発生源から周辺に伝わるのを遮断するものであることから、落石や雪崩による事故の発生を防止する上述の防護柵とは対象が異なる。しかしその違いは、支柱間に取り付けられる防護部材が防音パネルに置き換わるだけであり、その基本構成は上述の防護柵と同じである。
【００３９】
例えば本発明の方法により構築される防音壁は、道路や工場、或いは住宅などの騒音発生源の境界部分に配されるため、該防音壁における基礎ブロックの範疇には、上述の防護柵と同じく擁壁も含まれる。また防音壁を道路に設置する場合には、道路の縁石ブロックが防音壁における基礎ブロックとなる。さらに防音壁を工場や住宅の境界に設置する場合は、壁の基礎が防音壁における基礎ブロックとなる。
【００４０】
この防音壁の構築の場合も、防護柵と同じく支柱の仮止め部材を用いることで、支柱を立設固定する場所毎に、基礎ブロック内に支柱を仮止めするための鉄筋からなる仮止め枠を組み付ける必要がなく、支柱の立設固定作業における手間と時間と費用とを大幅に削減することができる。
【００４１】
以下、本発明の防音壁の構築方法の具体例を説明するに際し、上述の防護柵の構築方法の説明箇所で用いた図１〜図６を援用して説明することとする。この場合、図１中の防護柵１１が防音壁１１となり、防護部材１５が防音部材１５となる。また図１〜図６中の擁壁１３が基礎ブロック１３となる。
【００４２】
次に、本発明の防音壁の構築方法であって、仮止め部材を用いた支柱の仮止め作業、立設固定作業について説明する。まず、図１並びに図３〜図５に示すように、基礎ブロック１３上部の支柱１４を立設固定する予定位置にクレーン車などで支柱１４を吊り上げて、基礎ブロック１３上面に設けた支柱取付孔１３ａから基礎ブロック１３内に挿入する。次いで、仮止め部材２０の挟圧部２１を構成する一対の圧接板２３によって支柱１４を挟み込み、この状態で各圧接板２３の貫通孔２４に挿通されたネジ棒２５にボルト２６を螺合させ、軽くボルト締めする。
【００４３】
次いで、各圧接板２３に設けたピン２７を支柱１４の所定高さ位置に設けた穴（図示しない）に挿入し、支柱１４の建て込み位置を決定すると共に、支柱１４をピン２７周りに回転させて、支柱１４を鉛直方向に立設するように角度調整をする。次いで、各圧接板２３の貫通孔２４に挿通されたネジ棒２５にボルト２６を強く締め直して、支柱１４を両側面から挟圧して仮止めする。
【００４４】
次いで、支柱１４を吊り上げながら、図５中太矢印に示すように、基礎ブロック１３上部に跨る仮止め部材２０をスライドさせる。このとき、支柱１４を挟圧して仮止めする挟圧部２１を支持する支持部２２は、基礎ブロック１３上部の上面及び両側面に当接しながらスライドし、支柱１４は、基礎ブロック１３上部の支柱取付孔１３ａ内を予定位置へと移動される。
【００４５】
次いで、基礎ブロック１３内に形成された空洞１３ｂ内に支柱取付孔１４を通してコンクリートや現場で発生した土砂などの中詰材１８を詰め込むことで支柱１４の立設固定がなされる。この後、仮止め部材２０を取り外し、基礎ブロック１３上部に立設固定された支柱１４に防音パネルなどの防音部材１５を取り付けることで防音壁１１の構築が完了する。
【００４６】
次に、本発明の防音壁の構築方法において、仮止め部材を用いた支柱の仮止め作業の別例について説明する。まず、予め仮止め部材２０の挟圧部２１を構成する各圧接板２３に設けたピン２７を支柱１４の所定高さ位置に設けた穴（図示しない）に挿入すると共に、各圧接板２３の貫通孔２４にネジ棒２５を挿通し、ボルト２６を螺合させて、支柱１４を両側面から軽く挟み込んでおく。次いで、クレーンなどで支柱１４を吊り上げてこれを基礎ブロック１３上部の支柱取付孔１３ａから基礎ブロック１３内に挿入する。
【００４７】
次いで、支柱１４をピン２７周りに回転させて、支柱１４を鉛直方向に立設するように角度調整した後、ボルト２６を強く締め直して、一対の圧接板２３間に支柱１４を両側面から挟圧して仮止めする。
【００４８】
次いで、支柱１４を吊り上げながら、基礎ブロック１３上部に跨る仮止め部材２０をスライドさせ、基礎ブロック１３上部の支柱取付孔１３ａ内を予定位置へと移動させ、この後、基礎ブロック１３内に形成された空洞１３ｂ内に支柱取付孔１４を通してコンクリートや現場で発生した土砂などの中詰材１８を詰め込むことで支柱１４の立設固定が完了する。
【００４９】
尚、本発明は、上に示した例に限定されるものではなく、例えば擁壁または基礎ブロックが壁体構造物ではなく、一段のみ、つまり擁壁上部または基礎ブロック上面を構成するプレキャストコンクリートブロックのみからなる形態とするなど、特許請求の範囲に記載された範囲において自由に変更することができる。
【図面の簡単な説明】
【００５０】
【図１】本発明の方法により構築される防護柵または防音壁の全体を示す斜視図。
【図２】本発明の方法により構築される防護柵における擁壁または防音壁における基礎ブロックを示す斜視図。
【図３】本発明の防護柵または防音壁の構築方法において、仮止め部材によって支柱を仮止めした状態を示す断面図。
【図４】本発明の防護柵または防音壁の構築方法において、仮止め部材によって支柱を仮止めした状態を示す平面図。
【図５】本発明の防護柵または防音壁の構築方法において、仮止め部材によって支柱を仮止めした状態を示す上面図。
【図６】本発明の方法で防護柵または防音壁を構築する別形態を示す要部拡大断面図。
【図７】従来の防護柵の全体を示す斜視図。
【図８】従来の防護柵の擁壁内部を示す斜視図。
【図９】従来の防護柵の擁壁内に支柱を立設した状態を示す斜視図。
【図１０】従来の防護柵の擁壁内に立設した支柱周りに支柱用アンカー部材を配置した状態を示す斜視図。
【図１１】従来の支柱の立設固定例を示す拡大断面図。
【００５１】
１１      ・・・防護柵または防音壁
１２      ・・・基礎地盤
１３      ・・・擁壁または基礎ブロック
１３ａ    ・・・支柱取付孔
１３ｂ    ・・・空洞
１４      ・・・支柱
１５      ・・・防護部材
２０      ・・・仮止め部材
２１      ・・・挟圧部
２２      ・・・支持部
２３      ・・・圧接板
２４      ・・・貫通孔
２５      ・・・ネジ棒
２６      ・・・ボルト
２７      ・・・ピン
２８      ・・・脚部
２９      ・・・当接片
３０      ・・・ピン
３１      ・・・ガイド溝
３２      ・・・支柱用アンカー部材
３３      ・・・係止溝
１０１〜１０６・・・プレキャストコンクリートブロック
【図１】
2008255632.tif 000003
【図２】
2008255632.tif 000004
【図３】
2008255632.tif 000005
【図４】
2008255632.tif 000006
【図５】
2008255632.tif 000007
【図６】
2008255632.tif 000008
【図７】
2008255632.tif 000009
【図８】
2008255632.tif 000010
【図９】
2008255632.tif 000011
【図１０】
2008255632.tif 000012
【図１１】
2008255632.tif 000013